(57)【要約】      （修正有）【課題】防災受信機自身の立上げ時や復旧時の進捗に関する情報の表示を行うことにより、防災受信機の状態を操作者が把握することができて、操作者のストレスを低減することができる、防災受信機を提供する。【解決手段】防災受信機１００は、当該防災受信機１００の所定の立上げ処理を行う立上げ処理部１９１と、立上げ処理に関する各種の情報を出力する出力手段と、この立上げ処理部１９１によって立上げ処理が行われている際、当該立上げ処理の進捗状況に関する情報を、出力手段を介して出力する進捗情報出力部１９３とを備え、出力手段を立上げ処理の処理項目に応じて複数設け、進捗情報出力部１９３は、立上げ処理の進捗状況に関する情報であって、立上げ処理の処理項目に関する処理の実行の有無を示す情報を、当該立上げ処理の処理項目に対応する出力手段を介して出力する。【選択図】図１
2011123919.tif 000002
【特許請求の範囲】
【請求項１】
防災端末の発報を検知して所定の防災処理を行う防災受信機において、
当該防災受信機を通常監視状態に設定するための設定処理を行う設定処理手段と、
前記設定処理に関する各種の情報を出力する出力手段と、
前記設定処理手段によって前記設定処理が行われている際、当該設定処理の進捗状況に関する情報を、前記出力手段を介して出力する進捗情報出力手段とを備え、
前記出力手段を前記設定処理の処理項目に応じて複数設け、
前記進捗情報出力手段は、
前記設定処理の進捗状況に関する情報であって、前記設定処理の処理項目に関する処理の実行の有無を示す情報を、当該設定処理の処理項目に対応する出力手段を介して出力する、
防災受信機。
【請求項２】
前記複数の出力手段を前記設定処理の処理項目の処理順序に従って配置し、
前記進捗情報出力手段は、
前記複数の出力手段がすべて消灯した状態で、前記設定処理手段によって前記設定処理の処理項目に関する処理が前記処理順序に従って実行される毎に、当該実行された処理の処理項目に対応する出力手段を点灯させたり、又は、前記複数の出力手段がすべて点灯した状態で、前記設定処理手段によって前記設定処理の処理項目が処理順序に従って実行される毎に、当該実行された処理の処理項目に対応する出力手段を点灯させることにより、前記設定処理の処理項目に関する処理の実行の有無を示す情報を出力する、
請求項１に記載の防災受信機。
【請求項３】
前記進捗情報出力手段は、
前記設定処理の処理項目に関する処理が実行された場合に、当該実行された処理の処理項目に対応する出力手段に、前記設定処理の処理項目毎に割り当てられた数字であって、当該実行された処理の処理項目に対応する数字を表示させることにより、前記設定処理の処理項目に関する処理の実行の有無を示す情報を出力する、
請求項１に記載の防災受信機。
【請求項４】
防災端末の発報を検知して所定の防災処理を行う防災受信機において、
当該防災受信機を通常監視状態に設定するための設定処理を行う設定処理手段と、
前記防災端末が配置されている警戒地区の異常の有無を出力する出力手段と、
前記設定処理手段によって前記設定処理が行われている際、当該設定処理の進捗状況に関する情報を、前記出力手段を介して出力する進捗情報出力手段とを備え、
前記出力手段を前記警戒地区に応じて複数設け、
前記進捗情報出力手段は、
前記設定処理の進捗状況に関する情報を、前記複数の出力手段を介して出力する、
防災受信機。
【請求項５】
前記進捗情報出力手段は、
前記設定処理が実行された場合に、前記複数の出力手段を点灯又は点滅させることにより、前記設定処理の進捗状況に関する情報を出力する、
請求項４に記載の防災受信機。
【発明の詳細な説明】
【技術分野】
【０００１】
本発明は、火災感知器やガス漏れ検知器等からの信号を受信して警報や移報等を行うための防災受信機に関する。
【背景技術】
【０００２】
オフィスビルや工場等において、火災発生やガス漏れの有無を検出して警報を発する防災システムが広く利用されている。このような防災システムは、火災感知器やガス漏れ検知器等の防災端末と、この防災端末からの信号を受信して火災発生の警報出力や移報出力等を行う防災受信機とを備えて構成されている。
【０００３】
このような防災システムにおいて、防災受信機の設置後等には、当該防災受信機に電源を投入して立上げを行う必要がある。例えば、ポーリング／セレクティング方式によって防災端末の応答制御を行う防災受信機（Ｒ型の防災受信機）においては、各防災端末に対してポーリング／セレクティングを行うことによって各防災端末のアドレスおよび種別を読み取り、これらアドレスおよび種別を当該防災受信機内のデータＲＯＭやＲＡＭに格納されている情報と照合してアドレス重複の有無を判断し、各防災端末の正常性を確認するため各防災端末に対する試験を行い、さらに、各防災端末の初期化を行う等、多数の分岐処理を行っている。この立上げ時の処理には、システム構成にもよるが、通常数分間を要している。
【０００４】
また、防災端末からの発報を受けて防災受信機で警報出力等を行った後には、この警報状態を解除して通常の監視状態にするための復旧処理を行う必要がある。例えば、Ｒ型の防災受信機においては、各防災端末に対して復旧処理の開始を指示するためのコマンドを送信し、各防災端末で復旧処理が行われたことを確認する必要がある。この復旧処理には、通常数秒から数十秒の時間を要している。
【発明の概要】
【発明が解決しようとする課題】
【０００５】
ここで、このような従来の防災受信機においては、上記のような立上げ処理や復旧処理を行う際、立上げ処理に関しては、表示部に立上げを行っている旨の表示が継続して行われ、各操作部の操作は一切無効になるような状態である。また、復旧処理においては、立上げ処理よりも時間が短いため、表示部に表示を行っていない防災受信機もある。したがって、操作者は、各処理が正常に行われているのか、あるいは、全ての処理が終了するまでの残り時間がどの程度なのかを把握することができず、単に防災受信機の前で待機していなければならないので、精神的ストレスを感じることがあった。
【０００６】
本発明は上記問題に鑑みてなされたもので、防災受信機自身の立上げ時や復旧時において、防災受信機の状態を操作者が把握することができて、操作者のストレスを低減することができる、防災受信機を提供することを目的としている。
【課題を解決するための手段】
【０００７】
上述した課題を解決し、目的を達成するために、請求項１に記載の防災受信機は、防災端末の発報を検知して所定の防災処理を行う防災受信機において、当該防災受信機を通常監視状態に設定するための設定処理を行う設定処理手段と、前記設定処理に関する各種の情報を出力する出力手段と、前記設定処理手段によって前記設定処理が行われている際、当該設定処理の進捗状況に関する情報を、前記出力手段を介して出力する進捗情報出力手段とを備え、前記出力手段を前記設定処理の処理項目に応じて複数設け、前記進捗情報出力手段は、前記設定処理の進捗状況に関する情報であって、前記設定処理の処理項目に関する処理の実行の有無を示す情報を、当該設定処理の処理項目に対応する出力手段を介して出力する。
【０００８】
また、請求項２に記載の防災受信機は、請求項１に記載の防災受信機において、前記複数の出力手段を前記設定処理の処理項目の処理順序に従って配置し、前記進捗情報出力手段は、前記複数の出力手段がすべて消灯した状態で、前記設定処理手段によって前記設定処理の処理項目に関する処理が前記処理順序に従って実行される毎に、当該実行された処理の処理項目に対応する出力手段を点灯させたり、又は、前記複数の出力手段がすべて点灯した状態で、前記設定処理手段によって前記設定処理の処理項目が処理順序に従って実行される毎に、当該実行された処理の処理項目に対応する出力手段を点灯させることにより、前記設定処理の処理項目に関する処理の実行の有無を示す情報を出力する。
【０００９】
また、請求項３に記載の防災受信機は、請求項１に記載の防災受信機において、前記進捗情報出力手段は、前記設定処理の処理項目に関する処理が実行された場合に、当該実行された処理の処理項目に対応する出力手段に、前記設定処理の処理項目毎に割り当てられた数字であって、当該実行された処理の処理項目に対応する数字を表示させることにより、前記設定処理の処理項目に関する処理の実行の有無を示す情報を出力する。
【００１０】
また、請求項４に記載の防災受信機は、防災端末の発報を検知して所定の防災処理を行う防災受信機において、当該防災受信機を通常監視状態に設定するための設定処理を行う設定処理手段と、前記防災端末が配置されている警戒地区の異常の有無を出力する出力手段と、前記設定処理手段によって前記設定処理が行われている際、当該設定処理の進捗状況に関する情報を、前記出力手段を介して出力する進捗情報出力手段とを備え、前記出力手段を前記警戒地区に応じて複数設け、前記進捗情報出力手段は、前記設定処理の進捗状況に関する情報を、前記複数の出力手段を介して出力する。
【００１１】
また、請求項５に記載の防災受信機は、請求項４に記載の防災受信機において、前記進捗情報出力手段は、前記設定処理が実行された場合に、前記複数の出力手段を点灯又は点滅させることにより、前記設定処理の進捗状況に関する情報を出力する。
【発明の効果】
【００１２】
請求項１に記載の防災受信機によれば、防災受信機を通常監視状態に設定するための設定処理の進捗状況が、進捗情報出力手段の処理によって出力される。したがって、操作者は、この出力に基づいて、設定処理の進捗状況を容易かつ正確に把握することができる。したがって、設定処理の終了を待っている操作者のストレスを低減することができる。
また、設定処理の処理項目に関する情報が出力される。したがって、操作者は、この出力に基づいて、設定処理の進捗状況の実行済の処理項目や未実行の処理項目等の処理項目情報を把握することができ、設定処理の進捗状況を容易かつ正確に把握することができる。
【図面の簡単な説明】
【００１３】
【図１】本発明の実施の形態１に係る防災受信機の要部構成を示すブロック図である。
【図２】図１の防災受信機の正面図である。
【図３】実施の形態１に係る立上げ時の処理のフローチャートである。
【図４】実施の形態１に係る立上げ処理部の分岐処理例等を示す図である。
【図５】実施の形態１に係るセグメント表示器による表示例を示す図である。
【図６】実施の形態１に係るセグメント表示器による表示例を示す図である。
【図７】実施の形態１に係るセグメント表示器による表示例を示す図である。
【図８】実施の形態１に係る復旧時の処理のフローチャートである。
【図９】本発明の実施の形態２に係る防災受信機の立上げ時の処理のフローチャートである。
【図１０】実施の形態２に係るセグメント表示器による表示例を示す図である。
【図１１】実施の形態２に係る復旧時の処理のフローチャートである。
【発明を実施するための形態】
【００１４】
以下に、本発明に係る防災受信機の実施の形態を図面に基づいて詳細に説明する。なお、この実施の形態によりこの発明が限定されるものではない。特に、以下の実施の形態においては、本発明をＲ型の防災受信機に適用した例を示すが、回線毎に信号線が引き出され、この回線に接続された防災端末の接点の開閉に基づいて発報を受けるＰ型の防災受信機に対しても、本発明を同様に適用することができる。
【００１５】
〔実施の形態１〕
最初に、本発明の実施の形態１について説明する。まず、本実施の形態に係る防災受信機の特徴について概説し、その後、防災受信機の構成と処理について説明する。図１は本実施の形態に係る防災受信機の要部構成を示すブロック図である。この図１において、防災受信機１００は、各警戒地区に配置されて火災やガス漏れ等を検出する防災端末２００からの信号を受信して火災発生の警報出力や所定の外部監視盤への移報出力等を行う防災受信手段である。
【００１６】
この防災受信機１００の主たる特徴は、下記の通りである。すなわち、当該防災受信機１００を通常監視状態に設定するための設定処理が行われている際、この設定処理の進捗状況が表示される。ここで、設定処理の内容は任意であるが、本実施の形態においては、立上げ処理および復旧処理が該当する。立上げ処理とは、当該防災受信機１００の設置後等において、当該防災受信機１００に電源を投入した後に行われる処理である。また、復旧処理とは、防災端末２００からの発報を受けて防災受信機で警報出力等を行った後に、この警報状態を解除して通常の監視状態に戻すための処理である。この復旧処理の詳細な内容は、上記した従来の立上げ処理および復旧処理と同様に行うことができる。
【００１７】
具体的に、本実施の形態において、立上げ処理時には、この立上げ処理に含まれる防災端末２００の種別取得や初期化等の各処理の進捗状況が表示される。また、防災端末２００の発報後の復旧処理時には、この復旧処理が完了するまでの残り時間が表示される。これらのことから、防災受信機１００の操作者は、立上げや復旧の進捗状況を容易かつ正確に把握することができ、その完了を待って待機等する際のストレスを軽減することができる。特に、本実施の形態においては、立上げ処理や復旧処理の進捗状況が、セグメント表示器の点灯によって表示される。なお、この他にも本防災受信機１００は種々の特徴を有するが、その内容については以下の説明で明らかにする。
【００１８】
〔防災受信機１００の構成〕
次に、防災受信機１００の構成について説明する。図１は本実施の形態に係る防災受信機１００の要部構成を示すブロック図、図２は図１の防災受信機１００の正面図である。図１に示すように、防災受信機１００は、伝送制御部１１０、操作部１２０、表示部１３０、記憶部１４０、主音響部１５０、地区音響制御部１６０、防排煙制御部１７０、電源部１８０、および、制御部１９０を備えて構成されている。
【００１９】
このうち、伝送制御部１１０は、防災端末２００との間の伝送制御を行う伝送制御手段である。この伝送制御部１１０には、図示のように、伝送路１１１を介して、火災感知器やガス漏れ検知器等の防災端末２００、あるいは、これら防災端末２００への中継伝送を行う中継器２１０が接続されている。そして、伝送制御部１１０を介して送信された各種のコマンドに基づいて、防災端末２００に対するポーリング／セレクティング等が行われる。
【００２０】
また、操作部１２０は、当該防災受信機１００に対する各種の操作を行うための操作手段である。具体的には、操作部１２０は、図２に示すように、復旧処理の開始を指示するための復旧ボタン１２２、等を備えて構成されている。
【００２１】
また、図１において、表示部１３０は、操作者に対して各種の情報を表示するための表示手段である。具体的には、表示部１３０は、図２に示すように、各警戒地区における異常状態を示す地区表示灯１３１、各種数値を示す２つのセグメント表示器１３２、１３３、等を備えて構成されている。このセグメント表示器１３２、１３３は、複数桁のセグメント表示器であり、本実施の形態においては、この複数桁のセグメント表示器１３２、１３３を使用して処理の進捗状況を表示する。
【００２２】
また、図１において、記憶部１４０は、当該防災受信機１００の制御を行うための各種のプログラムおよびデータや、各防災端末２００から取得された各種のデータを記憶するための記憶手段である。
【００２３】
また、主音響部１５０は、当該防災受信機１００において各種の警報音を出力するための主音響手段である。具体的には、主音響部１５０は、スピーカにて構成され、図２に示す音響孔１５１の近傍奥部に配置されている。
【００２４】
また、図１において、地区音響制御部１６０は、当該防災受信機１００の外部の音響機器を制御するための地区音響制御手段である。例えば、地区音響制御部１６０には、伝送路１６１を介して、各警戒地区に配置した非常ベル３００が接続されており、これら非常ベル３００の鳴動が地区音響制御部１６０にて制御される。
【００２５】
また、防排煙制御部１７０は、防排煙設備を制御するための防排煙制御手段である。例えば、防排煙制御部１７０には、伝送路１７１を介して、各警戒地区において防火ドアの自動開閉を行うためのレリーズ４００が接続されており、このレリーズ４００が防排煙制御部１７０にて制御される。また、電源部１８０は、当該防災受信機１００の各部に電源を供給するための電源手段である。
【００２６】
そして、制御部１９０は、これら防災受信機１００の各部を制御するための制御手段であり、例えば、記憶部１４０に記憶された制御プログラムを解釈実行するＣＰＵ(Central Processing Unit)として構成されている。
【００２７】
この制御部１９０は、機能概念的に、立上げ処理部１９１、復旧処理部１９２、および、進捗情報出力部１９３を備えて構成されている。このうち、立上げ処理部１９１は、当該防災受信機１００の立上げ処理を行う立上げ処理手段である。また、復旧処理部１９２は、防災端末２００の発報後の復旧処理を行う復旧処理手段である。そして、進捗情報出力部１９３は、立上げ処理部１９１による立上げ処理が行われている際、当該立上げ処理の進捗状況に関する情報を表示部１３０を介して出力すると共に、復旧処理部１９２による復旧処理が行われている際、当該復旧処理の進捗状況に関する情報を表示部１３０を介して出力する進捗情報出力手段である。これら各部にて行われる処理の具体的内容については後述する。
【００２８】
〔防災受信機１００における処理〕
次に、防災受信機１００における処理の内容について説明する。ここでは、当該防災受信機１００の立上げ時の処理と、防災端末２００の発報後の復旧時の処理について説明する。
【００２９】
〔防災受信機１００における処理−立上げ時の処理〕
まず、立上げ時の処理について説明する。図３は、立上げ時の処理のフローチャートである。最初に、操作者が防災受信機１００の内部に設けた図示しない電源スイッチをオンすることにより立上げ処理が開始される。このように電源が投入されると、制御部１９０の立上げ処理部１９１は所定の立上げ処理を開始する。この立上げ処理は、概略的には、図４に例示する「端末伝送起動開始」〜「端末伝送立上げ終了」迄の各処理を、同図に示す処理順序に従って順次実行することによって行われる。
【００３０】
すなわち、まず、進捗情報出力部１９３は、パラメータＮおよびｎを初期値１に設定する（ステップＳＡ−１）。次に、立上げ処理部１９１は、立上げ処理のうち、処理順序Ｎ（＝１）の処理を実行する（ステップＳＡ−２）。ここでは、図４に例示するように、立上げ処理が、処理順序１〜１１迄の各分岐処理を順次行うように構成されているので、まず、処理順序Ｎ（＝１）の分岐処理である「端末伝送起動」を実行する。具体的には、各端末に対して伝送路を介して電源を印加する。
【００３１】
その後、進捗情報出力部１９３は、図２のセグメント表示器１３２、１３３のうち、割当て番号ｎ（＝１）の表示器を点灯させる（ステップＳＡ−３）。ここでは、後述する図５に示すように、各セグメント表示器１３２、１３３がそれぞれ６個の表示部１３２ａ〜１３２ｆ、１３３ａ〜１３３ｆを備えて構成されており、計１２個の表示部１３０のそれぞれにおいて０〜９迄の数値を表示することができる。そして、図示の左側のセグメント表示器１３２の最左の表示部１３２ａから、図示の右側のセグメント表示器１３３の最右の表示部１３３ｆに至り、１〜１２迄の割当て番号が付与されている。
【００３２】
そして、ここでは、上述のように割当て番号ｎ（＝１）の表示部が点灯されるので、図示の左側のセグメント表示器１３２の最左の表示部１３２ａが点灯される。ここで点灯させる数値は任意であるが、例えば、「８」を点灯させるものとする。この状態を図５に
示す。なお、図４に示すテーブルは例えば記憶部１４０に記憶させておき必要に応じて参照することができる。
【００３３】
その後、立上げ処理部１９１は、全ての分岐処理を終了したか否かを判断し（ステップＳＡ−４）、まだ終了していない場合には、Ｎおよびｎを１ずつ増分した後（ステップＳＡ−５）、次順の分岐処理を行う（ステップＳＡ−２）。すなわち、処理順序Ｎ（＝２）の分岐処理である「端末初期化」を実行する。具体的には、各端末に初期化コマンドを送信することにより、各端末の初期化を行う。
【００３４】
その後、進捗情報出力部１９３は、図２のセグメント表示器１３２、１３３のうち、割当て番号ｎ（＝２）の表示部を点灯させる（ステップＳＡ−３）。ここでは、図４の割当て番号に基づいて、図示の左側のセグメント表示器１３２の左から２番目の表示部１３２ｂが点灯される。この状態を図６に示す。
【００３５】
以降、全ての分岐処理が終了するまで、ステップＳＡ−２〜ＳＡ−５が繰り返し行われる。そして、処理順序１１の分岐処理が終了した後、ステップＳＡ−３において割当て番号１１および１２の表示部１３３ｅおよび１３３ｆが点灯され、図７に示す状態になる。そして、ステップＳＡ−４において、全ての分岐処理が終了したものと判断された時点で本処理を終了する。
【００３６】
〔防災受信機１００における処理−復旧時の処理〕
次に、防災端末２００の発報後の復旧時の処理について説明する。図８は、復旧時の処理のフローチャートである。防災端末２００の発報後および火災消火完了後、操作者が図２の復旧ボタン１２２を押すことにより復旧処理の開始を指示すると、制御部１９０の進捗情報出力部１９３は、パラメータｔを初期値０に設定すると共に、パラメータｎを初期値１に設定する（ステップＳＢ−１）。
【００３７】
次に、復旧処理部１９２は、復旧処理を行う。具体的には、伝送路を介して復旧コマンドを各防災端末２００に送信する（ステップＳＢ−２）。この復旧コマンドを受けた各防災端末２００は、自己が発報状態でホールドされている場合には、当該ホールドを解除して初期状態に復旧する。次いで、進捗情報出力部１９３は、割当て番号ｎ（＝１）の表示器１３２ａを点灯させる（ステップＳＢ−３）。これにより、図５に示すように、図示の左側のセグメント表示器１３２の最左の表示部１３２ａが点灯される。
【００３８】
また、進捗情報出力部１９３は、経過時間の計時を開始する（ステップＳＢ−４）。そして、このパラメータｔが、所定の復旧時間を表示器の数で除した場合の商（例えば、復旧時間が１２秒で、表示器の数が１２個の場合には、商＝１）に到達するまで待機し（ステップＳＢ−５）、到達した場合には、復旧処理が終了していないこと（所定の復旧時間が経過していないこと）を条件として（ステップＳＢ−６）、ｔを初期化すると共に、ｎを１だけ増分し（ステップＳＢ−７）、次の表示器１３２ｂを点灯させる（ステップＳＢ−３）。なお、復旧時間が状況に応じて変化し得る場合には、ステップＳＢ−４の前段において、復旧時間を算定してもよい。
【００３９】
以降、全ての分岐処理が終了するまで、ステップＳＢ−３〜ＳＢ−７が繰り返し行われる。そして、全ての表示器１３２ａ〜１３２ｆ、１３３ａ〜１３３ｆを点灯させ、復旧処理が終了した時点で本処理を終了する。
【００４０】
これまで説明した実施の形態１によれば、立上げ処理や復旧処理の進捗状況が、セグメント表示器１３２、１３３の点灯によって表示されるので、操作者は、この表示を見ることによって立上げ処理や復旧処理の進捗状況を容易かつ正確に把握することができる。
【００４１】
〔実施の形態２〕
次に、本発明の実施の形態２について説明する。ただし、特に説明なき構成および処理については実施の形態１と同様であるとし、また、実施の形態１とほぼ同一の機能を有する構成要素を同一の符号を付して説明する。本実施の形態は、概略的に、立上げ処理や復旧処理の進捗状況が、処理完了までの残り時間をカウントダウンすることによって表示される防災受信機１００に関するものである。
【００４２】
〔防災受信機１００の構成〕
まず、防災受信機１００の構成について説明する。本実施の形態において、制御部１９０の進捗情報出力部１９３は、進捗情報出力手段である。特に、本実施の形態において進捗情報出力部１９３は、立上げ処理または復旧処理の残り時間をカウントダウン形式で出力する。
【００４３】
〔防災受信機１００における処理−立上げ時の処理〕
次に、防災受信機１００における処理の内容について説明する。まず、立上げ時の処理について説明する。図９は、立上げ時の処理のフローチャートである。最初に、操作者が防災受信機１００の内部の図示しない電源スイッチをオンすることにより立上げ処理の開始を指示すると、制御部１９０の進捗情報出力部１９３は、パラメータｎ、Ｎ、および、Ｘを初期値０に設定する（ステップＳＣ−１）。
【００４４】
次に、立上げ処理部１９１は、立上げ処理の中の、端末伝送起動開始、端末初期化、および、端末種別取得の各分岐処理を実行する（ステップＳＣ−２〜ＳＣ−４）。
【００４５】
次に、進捗情報出力部１９３は、立上げ処理に要する時間（立上げ時間）ｎを算定し、残り時間Ｎにこの立上げ時間ｎを設定する（ステップＳＣ−５）。例えば、ステップＳＣ−４で取得された防災端末２００の種別に基づいて、全ての防災端末２００の端末数を算定し、この端末数に、１台当たりの所定の立上げ時間を乗じた結果を立上げ時間ｎとする。そして、進捗情報出力部１９３は、所定の表示器（例えば、図５の右側のセグメント表示器１３３の右端の２つの表示器１３３ｅおよび１３３ｆ）を介して残り時間Ｎを表示する（ステップＳＣ−６）。図１０には、残り時間が１８秒である場合の表示例を示す。
【００４６】
その後、立上げ処理のうち、上記ステップＳＣ−２〜ＳＣ−４以外の残りの分岐処理を実行する（ステップＳＣ−７）。ここで、分岐処理の実行に何らかの障害が発生した場合には（ステップＳＣ−８）、立上げ時間が変わる可能性があるため、残り時間Ｎを再計算する（ステップＳＣ−９）。すなわち、障害発生後の残り時間ｍを計算し、これを新たな残り時間Ｎに設定する。
【００４７】
また、ステップＳＣ−７における分岐処理の実行中、所定タイミング（例えば、所定間隔毎）で、残り時間Ｎが０になったか否かを判断する（ステップＳＣ−１０）。そして、残り時間が０でない場合には、残り時間Ｎから経過時間ｘ（ステップＳＣ−５における立上げ時間の算定後の経過時間、または、前回ステップＳＣ−１１を実行してからの経過時間）を減算することによって残り時間Ｎを更新し（ステップＳＣ−１１）、表示器における残り時間Ｎの表示を更新する（ステップＳＣ−１２）。
【００４８】
以降、ステップＳＣ−７〜ＳＣ−１２を同様に繰り返す。このことにより、表示器１３３ｅおよび１３３ｆにおける残り時間Ｎの表示が、０に向けて徐々にカウントダウンされることになる。そして、残り時間Ｎが０になった時点で、本処理を終了する。なお、防災端末２００の数によって立上げ時間が左右されず、ほぼ一定の立上げ時間であるならば、ステップＳＣ−５の立上げ時間の算出をせずに、すぐにカウントダウン表示を行ってもよい。また、立上げ時間が他の要因で左右される場合は、その要因に応じて立上げ時間を算出して表示するようにしてもよい。
【００４９】
〔防災受信機１００における処理−復旧時の処理〕
次に、防災端末２００の発報後の復旧時の処理について説明する。図１１は、復旧時の処理のフローチャートである。防災端末２００の発報後および火災消火完了後、操作者が図２の復旧ボタン１２２を押すことにより復旧処理の開始を指示すると、制御部１９０の進捗情報出力部１９３は、パラメータｔおよびＮを初期値０に設定する（ステップＳＤ−１）。
【００５０】
次に、復旧処理部１９２は、復旧処理を行う。具体的には、伝送路を介して復旧コマンドを各防災端末２００に送信する（ステップＳＤ−２）。次いで、進捗情報出力部１９３は、残り時間Ｎに所定の復旧時間を設定する（ステップＳＤ−３）。そして、進捗情報出力部１９３は、所定の表示器（例えば、表示器１３３ｅおよび１３３ｆ）を介して残り時間Ｎを表示する（ステップＳＤ−４）。
【００５１】
また、進捗情報出力部１９３は、経過時間の計時を開始する（ステップＳＤ−５）。そして、このパラメータｔを監視し（ステップＳＤ−６）、パラメータｔが１秒に至る毎に、残り時間を１秒減算し（ステップＳＤ−７）、この残り時間Ｎが０になるまで（ステップＳＤ−８）、残り時間Ｎの表示の更新を行う（ステップＳＤ−９）。また、この際、パラメータｔを０に初期化する（ステップＳＤ−１０）。そして、残り時間Ｎが０になった時点で、本処理を終了する。
【００５２】
これまで説明した実施の形態２によれば、立上げ処理や復旧処理の残り時間が、セグメント表示器１３２、１３３に表示される数値によって表示されるので、操作者は、この表示を見ることによって立上げ処理や復旧処理の進捗状況を容易かつ正確に把握することができる。
【００５３】
〔他の実施の形態〕
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００５４】
例えば、立上げ処理や復旧処理の進捗状況として出力する情報としては、処理項目に関する情報や、処理時間に関する情報であれば、如何なる情報であってもよい。処理項目に関する情報としては、実施の形態１で説明したような実行済（または非実行済）の分岐処理の程度や数を示す情報の他、これら分岐処理の名称を出力するようにしてもよい。
【００５５】
また、処理時間に関する情報としては、実施の形態２で説明したような残り時間の他、その時点迄に要した時間を出力してもよい。また、情報の取得方法としては、必要に応じて算定する方法の他、過去の処理時間を記憶しておき、この処理時間を用いてもよい。
【００５６】
また、情報の出力形態としては、上記のようにセグメント表示器１３２、１３３による表示を行う場合においては、各表示器を点灯または消灯させることによって、カウントダウンやカウントアップを行ったり、予め各分岐処理に割当てた数字を各表示器によって表示することにより、これら各分岐処理が実行済（または非実行済）であることを表示してもよい。
【００５７】
あるいは、セグメント表示器１３２、１３３以外に、任意の出力装置を用いることができ、例えば、液晶画面を備える防災受信機１００においては、この液晶画面において、残り時間の数値表示を行ったり、残りの分岐処理の名称を表示してもよい。
【００５８】
また、Ｐ型のような地区窓方式（各警戒地区に対応するＬＥＤを設け、各警戒地区における異常の有無等を当該対応するＬＥＤの点灯等にて表示する方法）を採用している防災受信機１００においては、液晶画面やセグメント表示器を設けていないことが多いので、これら地区窓や他の表示部１３０に設けたＬＥＤを点灯または点滅等させることによって、進捗状況の表示を行ってもよい。
【００５９】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、制御手順、具体的名称、各種のデータやパラメータを含む情報については、特記する場合を除いて任意に変更することができる。
【００６０】
また、図示した各装置の各構成要素は機能概念的なものであり、必ずしも物理的に図示の如く構成されていることを要しない。例えば、防災受信機１００の分散・統合の具体的形態は図示のものに限られず、その全部または一部を、各種の負荷等に応じた任意の単位で、機能的または物理的に分散・統合して構成することができる。また、防災受信機１００における処理機能、特に制御部１９０にて行われる各処理機能は、その全部または任意の一部が、ＣＰＵおよび当該ＣＰＵにて解析実行されるプログラムにて実現され、あるいは、ワイヤードロジックによるハードウェアとして実現される。
【００６１】
また、このコンピュータプログラムは、防災受信機１００に対して任意のネットワークを介して接続されたアプリケーションプログラムサーバに記録されてもよく、必要に応じてその全部または一部をダウンロードすることも可能である。あるいは、各制御部１９０の全部または任意の一部を、ワイヤードロジック等によるハードウェアとして実現することも可能である。
【００６２】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Operating System）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００６３】
以上に説明したように、本発明によれば、操作者は、立上げ処理や復旧処理等の各種の設定処理の進捗状況を容易かつ正確に把握することができる。したがって、設定処理の終了を待っている操作者のストレスを低減することができる。
【００６４】
また、本発明によれば、操作者は、設定処理の進捗状況の経過時間や残り時間等の時間情報を把握することができ、設定処理の進捗状況を容易かつ正確に把握することができる。
【００６５】
また、本発明によれば、設定処理の途中で障害が発生した場合であっても、その状況を加味した正確な処理時間に関する情報が出力され、操作者は常に正確な進捗状況を把握することができる。
【００６６】
また、本発明によれば、操作者は、設定処理の進捗状況の実行済の処理項目や未実行の処理項目等の処理項目情報を把握することができ、設定処理の進捗状況を容易かつ正確に把握することができる。
【００６７】
また、本発明によれば、液晶画面等がない防災受信機においても、進捗状況に関する情報を把握することができる。
【００６８】
（付記）
付記１に記載の防災受信機は、防災端末の発報を検知して所定の防災処理を行う防災受信機において、当該防災受信機を通常監視状態に設定するための設定処理を行う設定処理手段と、上記設定処理手段によって上記設定処理が行われている際、当該設定処理の進捗状況に関する情報を、所定の出力手段を介して出力する進捗情報出力手段とを備えることを特徴とする。
【００６９】
また、付記２に記載の防災受信機は、付記１に記載の防災受信機において、上記設定処理手段は、当該防災受信機の所定の立上げ処理を行う立上げ処理手段であり、上記進捗情報出力手段は、上記立上げ処理手段によって上記立上げ処理が行われている際、当該立上げ処理の進捗状況に関する情報を出力することを特徴とする。
【００７０】
また、付記３に記載の防災受信機は、付記１に記載の防災受信機において、上記設定処理手段は、上記防災端末の発報後における当該防災受信機の復旧処理を行う復旧処理手段であり、上記進捗情報出力手段は、上記復旧処理手段によって上記復旧処理が行われている際、当該復旧処理の進捗状況に関する情報を出力することを特徴とする。
【００７１】
また、付記４に記載の防災受信機は、付記１〜３のいずれか一つに記載の防災受信機において、上記進捗情報出力手段は、上記設定処理の処理時間に関する情報を出力することを特徴とする。
【００７２】
また、付記５に記載の防災受信機は、付記４に記載の防災受信機において、上記設定処理の処理時間を算定すると共に、上記設定処理に障害が発生した場合、当該処理時間を再度算定し、この再度算定した処理時間に関する情報を出力することを特徴とする。
【００７３】
また、付記６に記載の防災受信機は、付記１〜３のいずれか一つに記載の防災受信機において、上記進捗情報出力手段は、上記設定処理の処理項目に関する情報を出力することを特徴とする。
【００７４】
また、付記７に記載の防災受信機は、付記１〜６のいずれか一つに記載の防災受信機において、上記進捗情報出力手段は、上記設定処理の進捗状況に関する情報を、セグメント表示器を介して表示することを特徴とする。
【００７５】
付記に係る防災受信機は、防災受信機を通常監視状態に設定するための設定処理の進捗状況が、進捗情報出力手段の処理によって出力される。したがって、操作者は、この出力に基づいて、設定処理の進捗状況を容易かつ正確に把握することができる。したがって、設定処理の終了を待っている操作者のストレスを低減することができる。
【００７６】
また、付記に係る防災受信機は、当該防災受信機の立上げ処理の進捗状況が、進捗情報出力手段の処理によって出力される。したがって、操作者は、この出力に基づいて、立上げ処理の進捗状況を容易かつ正確に把握することができる。したがって、立上げ処理の終了を待っている操作者のストレスを低減することができる。
【００７７】
また、付記に係る防災受信機は、当該防災受信機の復旧処理の進捗状況が、進捗情報出力手段の処理によって出力される。したがって、操作者は、この出力に基づいて、復旧処理の進捗状況を容易かつ正確に把握することができる。したがって、復旧処理の終了を待っている操作者のストレスを低減することができる。
【００７８】
また、付記に係る防災受信機は、設定処理の処理時間に関する情報が出力される。したがって、操作者は、この出力に基づいて、設定処理の進捗状況の経過時間や残り時間等の時間情報を把握することができ、設定処理の進捗状況を容易かつ正確に把握することができる。
【００７９】
また、付記に係る防災受信機は、設定処理に障害が発生した場合には、処理時間が再度算定されて出力される。したがって、設定処理の途中で障害が発生した場合であっても、その状況を加味した正確な処理時間に関する情報が出力され、操作者は常に正確な進
捗状況を把握することができる。
【００８０】
また、付記に係る防災受信機は、設定処理の処理項目に関する情報が出力される。したがって、操作者は、この出力に基づいて、設定処理の進捗状況の実行済の処理項目や未実行の処理項目等の処理項目情報を把握することができ、設定処理の進捗状況を容易かつ正確に把握することができる。
【００８１】
また、付記に係る防災受信機は、設定処理の進捗状況に関する情報がセグメント表示器を介して表示される。したがって、液晶画面等がない防災受信機においても、進捗状況に関する情報を把握することができる。
【符号の説明】
【００８２】
１００  防災受信機
１１０  伝送制御部
１２０  操作部
１３０  表示部
１４０  記憶部
１５０  主音響部
１６０  地区音響制御部
１７０  防排煙制御部
１８０  電源部
１９０  制御部
１９１  立上げ処理部
１９２  復旧処理部
１９３  進捗情報出力部
２００  防災端末
３００  非常ベル
４００  レリーズ
【図１】
2011123919.tif 000003
【図２】
2011123919.tif 000004
【図３】
2011123919.tif 000005
【図４】
2011123919.tif 000006
【図５】
2011123919.tif 000007
【図６】
2011123919.tif 000008
【図７】
2011123919.tif 000009
【図８】
2011123919.tif 000010
【図９】
2011123919.tif 000011
【図１０】
2011123919.tif 000012
【図１１】
2011123919.tif 000013